(57)【要約】      （修正有）【課題】いちいち他人の手を煩わせなくとも、排尿することが出来て，尿意を催す度に看護や介護をする人に溲瓶を持って来てもらったり、片づけてもらったりする必要がなくなるので、その人達の労力，負担を軽減することが出来る排尿補助装置を提供する。【解決手段】多量の尿を貯めることが出来る貯尿容器１９の蓋体１５に、容器内の気圧を低下させるポンプ１７を組み込むと共に、所定気圧まで低下したらその気圧に保つ作用をする圧力調整装置２３を組み込む。パイロットランプ２は、所定気圧に達した時に点灯する。屈曲自在な導尿管７の一端には男性器当て具４が取り付けられ、他端は貯尿容器内の空間に通ずるよう蓋体１５に貫通する。男性器当て具４に男性器をあててスイッチ５をオンすると、貯尿容器１９内が低圧となる。そこで放尿すると、尿は吸引力により貯尿容器１９にスムーズに導かれる。【選択図】図１
0003110695.tif 000002
【実用新案登録請求の範囲】
【請求項１】
貯尿容器と、
該貯尿容器を密封する着脱自在の蓋体と、
該蓋体に内蔵され、運転された場合、前記貯尿容器内の気圧を低圧にするポンプと、
該ポンプより配線により導かれ、該ポンプの運転，停止を制御するスイッチと、
一端に性器当て具が取り付けられ、他端が前記貯尿容器内の空間に通ずるよう蓋体に貫通された屈曲自在な導尿管と、
前記蓋体に内蔵され、前記ポンプ運転後に前記貯尿容器内の気圧を所定気圧に保つ圧力調整装置と
を具えたことを特徴とする排尿補助装置。
【請求項２】
貯尿容器内の気圧が所定気圧まで低下した時に行われる圧力調整装置の動作を利用して、該所定気圧に達したことを表示するパイロットランプを点灯するようにしたことを特徴とする請求項１記載の排尿補助装置。
【請求項３】
頂部にパイロットランプが取り付けられ、途中に導尿管を係止するフックが設けられた支持柱を台に植立し、該台の上に貯尿容器を載置するようにしたことを特徴とする請求項２記載の排尿補助装置。
【考案の詳細な説明】
【技術分野】
【０００１】
本考案は、自力でトイレに行けない人が、ベッド等にて自力で操作することにより、排尿することが出来るよう補助する排尿補助装置に関するものである。
【背景技術】
【０００２】
病気や身体障害のためにベッドに寝たきりとなり、自力でトイレに行けない人が排尿する場合、溲瓶を用い、次のようにして排尿しているのが現状である。
（１）まず、看護や介護をしてくれている人を呼んで、溲瓶を持って来てもらう。
（２）次に、排尿中、自分の手で溲瓶を支持することが可能な人は自分で支持し、支持することが出来ない人は、看護や介護をしてくれている人に支持していて貰う。
（３）排尿後は、溲瓶をトイレへ持って行ってもらい、尿を捨ててもらう（入院中で尿量を計測している人の場合なら、貯尿容器に入れてもらう。）。
なお、溲瓶の形状は、排尿する口が付いた容器に、片手で持つ把手が取り付けられているという形状をしているが、この形状は数十年以上前と殆ど同じである。
【考案の開示】
【考案が解決しようとする課題】
【０００３】
（問題点）
従来のような溲瓶を使用して行う排尿には、次のような問題点があった。
第１の問題点は、尿意を催す毎に、いちいち他人の手を煩わせなければならないという点である。
第２の問題点は、看護や介護をする人の労力が大変であるという点である。
第３の問題点は、人を呼べなかった場合、お洩らしをしてしまうという点である。
第４の問題点は、自尊心が傷つけられるという点である。
第５の問題点は、溲瓶をうまく扱うには熟練を要し、不慣れなうちは尿をこぼし易いという点である。
【０００４】
（問題点の説明）
まず第１の問題点について説明する。通常の人の場合、１日の排尿回数は６〜８回程度だと言われている。頻尿となる病気にかかっている人とか高齢者の場合は、もっと多くなる。尿意を催す度にナースコールをしたり声を出したりして人を呼び、溲瓶を持って来てもらわなければならないわけであるが、このように他人の手を煩わすことは、頼む方の身からすれば、気の重いことである。また、折角持って来てもらっても、なかなか尿が出ずに待たせたり、出たとしても僅かしか出なかったりした場合は、申し訳なさも加わり、更に気の重いこととなる。
【０００５】
第２の問題点についてであるが、看護や介護をする人は、少なくとも１日に６〜８回程度は排尿のために患者に呼ばれ、溲瓶を持って行っては排尿介助作業をしなければならないが、毎日毎日これが続くわけであり、その労力たるや大変なものである。
第３の問題点については、介護する人が席を外して近くに居なかったりした場合とか、大きな声が出せなくなった人の場合とかに生ずる問題点である。尿意を催した時に人が呼べなかった場合、自分ひとりではどうすることも出来ないから、結局ベッドに洩らしてしまうことになる。そのような場合、衣類の交換とか寝具の交換等の処置をしなければならず、する方もしてもらう方も大変である。
【０００６】
第４の問題点についてであるが、これが最も大きな問題点であると言ってもよい。通常、他人には秘して行う排尿という人間の本能的動作を、他人に秘して行うことが出来ないという情けない自分の姿を自覚することにより、基本的に自尊心は大きく傷つけられる。例えば、自分では溲瓶を支えることが出来ず、人に支えてもらって排尿するということ、その時、チョロチョロという排尿音がその人にも聞かれてしまうということ等は、自尊心が傷つけられる１つの要因である。また、前記のようにベッドでお洩らしをしてしまった場合、子供ならいざ知らず、功なり名遂げた成人とか一家の大黒柱として働いて来た成人にとってみれば、羞恥の極みであり、自尊心は大きく傷つけられる。
【０００７】
第５の問題点であるが、これは溲瓶の構造にも関係している。溲瓶の口は以外と大きく、しかも上ではなく斜め横方向に付いているので、少し傾ければ中に入っている尿がこぼれてしまう。従って、もし自分で支えて排尿するという場合、排尿中における傾け方とか、排尿後にベッドの外へ持ち出す場合の持ち方等を誤れば、中に入っている尿がベッドの上にこぼれてしまう。
本考案は、以上のような問題点を解決することを課題とするものである。
【課題を解決するための手段】
【０００８】
前記課題を解決するため、本考案の排尿補助装置では、貯尿容器と、該貯尿容器を密封する着脱自在の蓋体と、該蓋体に内蔵され、運転された場合、前記貯尿容器内の気圧を低圧にするポンプと、該ポンプより配線により導かれ、該ポンプの運転，停止を制御するスイッチと、一端に性器当て具が取り付けられ、他端が前記貯尿容器内の空間に通ずるよう蓋体に貫通された屈曲自在な導尿管と、前記蓋体に内蔵され、前記ポンプ運転後に前記貯尿容器内の気圧を所定気圧に保つ圧力調整装置とを具える構成とした。
なお、貯尿容器内の気圧が所定気圧まで低下した時に行われる圧力調整装置の動作を利用して、該所定気圧に達したことを表示するパイロットランプを点灯するようにしてもよい。パイロットランプを設ける場合、頂部にパイロットランプが取り付けられ、途中に導尿管を係止するフックが設けられた支持柱を台に植立し、該台の上に貯尿容器を載置するようにすることが出来る。
【考案の効果】
【０００９】
本考案の排尿補助装置によれば、次のような効果を奏する。
（１）いちいち他人の手を煩わせなくとも、排尿することが出来る。
（２）尿意を催す度に看護や介護をする人に溲瓶を持って来てもらったり、片づけてもらったりする必要がなくなるので、その人達の労力，負担を軽減することが出来る。
（３）人の手を借りることなく排尿出来るから、声が出せず人を呼ぶことができない人でも、お洩らしをしてしまうことがなくなる。
（４）排尿という人間の本能的動作を、他人に秘して行うことが出来るようになるので、自尊心が傷つけられることがなくなる。
（５）熟練を要する操作もなく、尿をうっかりベッドにこぼすこともなくなる。
【考案を実施するための最良の形態】
【００１０】
以下、本考案の実施形態を図面に基づいて詳細に説明する。
図１は、本考案にかかわる排尿補助装置を示す図である。図１において、１は排尿補助装置、２はパイロットランプ、３はフック、４は男性器当て具、５はスイッチ、６はひも、７は導尿管、８は支持パイプ、９はプラグ、１０〜１３は配線、１４はパイロットランプ電源装置、１５は蓋体、１６は排気口、１７はポンプ、１８は吸気口、１９は貯尿容器、２０は固定べルト、２１は尿、２２は台、２３は圧力調整装置、２４は容器内空間である。
【００１１】
排尿補助装置１は、貯尿容器１９と、その蓋体１５と、該蓋体１５に付設された幾つかの部品とから成っている。
貯尿容器１９は、ひとりの人の１日分の尿を貯めることが出来る容量を有することが望ましい。尿の量は多い人でも１回分で約３５０ｃｃ程度であるから、８回分で計算しても約４ｌ位あれば良い。
付設部品の第１は、蓋体１５の内部に組み込まれた小型のポンプ１７である。このポンプ１７は、容器内空間２４の空気を吸気口１８から吸い込み、排気口１６から外気へと排出するように配設されたポンプである。ポンプ１７の駆動電源は、プラグ９を図示しない室内コンセントに差し込んで得る。スイッチ５は、ポンプ１７の運転，停止をするためのものである（ポンプ１７に関係する電気回路は、後に図４で説明する。）。
【００１２】
付設部品の第２は、屈曲自在な導尿管７である（例、ビニール製）。導尿管７の一端は蓋体１５を貫通して容器内空間２４内に臨むように配置され、他端には男性器当て具４が取り付けられている（女性用の場合なら、後で図３で示す女性器当て具が取り付けられている）。
付設部品の第３は、圧力調整装置２３である。これは、ポンプ１７の運転により容器内空間２４が低圧とされてゆくが、所定気圧以下とはならないようにするための装置である。パイロットランプ２は、その所定気圧にまで低下したところで点灯され、そうなったことを知らせる。
【００１３】
このような排尿補助装置１は、取り扱いに便利なように、支持パイプ８が立てられた台２２に固定するのが望ましい。台２２は、移動し易いようにキャスター付きとしてもよい。台２２には貯尿容器１９を載置するが、その貯尿容器１９が倒れたりずれたりしないように、支持パイプ８の下部に固定べルト２０を取り付け、それで貯尿容器１９を取り外し自在に抱持する。
【００１４】
支持パイプ８の頂上付近には、パイロットランプ２を取り付けておく。排尿補助装置１は、患者の近くに置いて使用してもらうから、パイロットランプ２の高さは（言い換えれば支持パイプ８の高さは）、ベッドに寝た患者から容易に見える程度の高さとする。パイロットランプ２は、パイロットランプ電源装置１４，圧力調整装置２３と電気的に接続され、パイロットランプ電源装置１４の電源により点灯される（パイロットランプ２に関係する電気回路は、後に図５で説明する。）。
図１の例では、パイロットランプ電源装置１４は支持パイプ８の途中に設置しているが、配線１３を少し長くし、台２２の上に設置してもよい。また、パイロットランプ電源装置１４とパイロットランプ２とを結ぶ配線１２は、支持パイプ８の中を通して設置しているが、支持パイプ８の外に沿わせて設置してもよい。その場合、支持パイプ８は、パイプではなく棒を使用することが出来る。
【００１５】
支持パイプ８の上部にはフック３を設け、これに、導尿管７の男性器当て具４の付いた方の端を引っ掛ける。導尿管７には、端部にスイッチ５が付いた配線１１を沿わせ、両者がばらけないようひも６（或いはテープ等）で縛っておく。こうしておく理由は、排尿しようとして男性器当て具４をフック３から外し、手元に持って来た時、スイッチ５も手元に一緒について来るようにするためである。
なお、台２２，支持パイプ８，パイロットランプ２は、本考案の排尿補助装置に必須というものではない。なぜなら、これらが無くとも、排尿補助装置の本質的な動作は行うことが出来るからである。
【００１６】
図２は、圧力調整装置２３の１例を示す図である。符号は図１のものに対応し、３０は弁体、３１はストッパ、３２，３３は接点、３４はスプリング、３５は開口である。
開口３５は、蓋体１５の下側（図１で言えば容器内空間２４に面する側）に開けられる。蓋体１５の上側（外気に面する側）には開閉可能な弁体３０が設けられ、この弁体３０は、スプリング３４により外気方向に向かって弾発されている。ストッパ３１は、弾発されている弁体３０を、所定位置に留めるためのものである。
一方、弁体３０の下面には電気的な接点３２が設けられると共に、その下方には別の電気的な接点３３が設けられる。接点３３の一端はスプリング３４に固着されていてもいいし、蓋体１５内部の壁面に固着されていてもいい。接点３２，３３はそれぞれ配線１３に接続され、これら配線１３は、蓋体１５の上側から外部へと引き出される。
【００１７】
図２（１）は弁体３０が閉じている状態を示し、図２（２）は弁体３０が開いている状態を示している。弁体３０の上側の面には外気の圧力がかかり、下側の面には容器内空間２４内の圧力とスプリング３４の弾発力との合計（以下「下側合計圧力」という）がかかっている。ポンプ１７を運転しない時は、容器内空間２４の気圧も外気圧と同じであるから、この時、下側合計圧力はスプリング３４の弾発力の分だけ大きい。
【００１８】
ポンプ１７の運転が開始されると、容器内空間２４内の気圧は徐々に低下させられる。従って、下側合計圧力も徐々に低下させられて行くが、それが弁体３０の上側にかかっている外気圧より大である間は、弁体３０は図２（１）のように閉じられた状態を保っている。
しかし、下側合計圧力が外気圧より小となると、弁体３０は図２（２）のように下方に開く。すると、外気が侵入して来て、容器内空間２４の気圧を少し高めるように作用する。下側合計圧力が外気圧と等しくなるまで高められると、弁体３０は再び閉じる。弁体３０のこのような作用により、容器内空間２４内は所定気圧に調整される（圧力調整装置２３を設けた理由は、容器内空間２４内を所定気圧に調整するためである。）。
なお、弁体３０が開いた時、接点３２と３３とがオンする。このオンにより、後に図５で説明するように、パイロットランプ２が点灯される。
【００１９】
容器内空間２４内を外気圧より低い所定気圧に調整する理由は、図１の導尿管７を通して尿を容器内空間２４へ吸い込む吸引力を生ぜしめ、尿が外にこぼれたりしないよう排尿補助をするためである。従って、所定気圧の値も、その目的に沿うように適宜決定されるべきものである（例えば、女性用，男性用で値を変えてもよい）。前記した圧力関係の説明より明らかなように、この所定気圧の設定は、スプリング３４の弾発力の強さをどの位の強さにするかということにより設定される。
【００２０】
図３は、女性器当て具の１例を示す図であり、２５は女性器当て具、３６は導尿管開口である。図１の例では、導尿管７の端部に取り付けられているのは男性器当て具４であったが、女性用の排尿補助装置にあっては、当然のことながら、女性器当て具２５で置き換えられる。導尿管開口３６は、導尿管７に通ずる開口である。
【００２１】
図４は、ポンプ１７のための電気回路を示す図であり、符号は図１のものに対応している。この電気回路は、プラグ９とスイッチ５とポンプ１７とが、直列に接続されて構成される。スイッチ５をオンすると、ポンプ１７の作動が開始される（すると、図１の吸気口１８から空気が吸い込まれ、排気口１６から排出され始める。）。
図５は、パイロットランプ２のための電気回路を示す図であり、符号は図１のものに対応している。この電気回路は、圧力調整装置２３とパイロットランプ電源装置１４とパイロットランプ２とが、直列に接続されて構成される。パイロットランプ電源装置１４には、例えば、電池が内蔵されている。容器内空間２４内の気圧が所定気圧まで低下し、圧力調整装置２３の接点がオンとなると、パイロットランプ電源装置１４からパイロットランプ２へ電源が供給され、点灯する。パイロットランプ２としては、通常のランプの他、消費電力の少ない発光ダイオードを用いてもよい。
【００２２】
本考案の排尿補助装置は、患者または介護される人の手の届く所に置いておいて使用するわけであるが、次にその使用の仕方について説明する（図１参照）。
（１）導尿管７をフック３から外し、男性器当て具４を自分の男性器に当てる。
（２）導尿管７と一緒について手元に来たスイッチ５をオンする。
（ポンプ１７の運転が開始され、吸気口１８から容器内空間２４の空気を吸い込み、排気口１６から外気へと排出するという作用により、容器内空間２４の気圧が低下し始める。導尿管７は容器内空間２４に通じているから、導尿管７の中の気圧も同様に低下してゆく。従って、男性器当て具４に当てている男性器の先端では、若干の吸引力を感じることとなる。もしスプリング３４として弾発力が強いものが使用されていると、この吸引力が不快なほど強くなり、好ましくない。）
【００２３】
（３）暫くして（約数秒程度）、容器内空間２４内は所定気圧まで低下し、圧力調整装置２３が作動してパイロットランプ２が点灯する。この点灯を見て、放尿を開始する。（尿は、容器内空間２４内の低い気圧に吸引されて、スムーズに容器内空間２４内へと流れてゆき、放尿終了後において導尿管７内に残留するということがない。）
（４）スイッチ５をオフする。
（ポンプ１７が停止される。）
（５）導尿管７を元のフック３に掛ける。
（導尿管７の中には男性器当て具４を通って外気が入って来るから、それと通じている容器内空間２４の気圧は、外気と同じ気圧に戻る。なお、フック３に引っ掛ける前に、アルコール綿等で男性器当て具４を拭いておくことにすれば、清潔に保つことが出来る。）
【００２４】
図６は、尿の捨て方を説明する図であり、符号は図１のものに対応している。貯尿容器１９の尿を捨てるには、蓋体１５を外し、固定べルト２０をほどき、貯尿容器１９を手に取ってトイレ等に捨てる。
貯尿容器１９の容量を１日分の尿量を十分貯めることが出来る容量としておくと、尿を捨てる作業は１日に１回だけで済む。従来は排尿する度に溲瓶に取り、トイレに捨てていたわけであるから、１日に６〜８回程度その作業をしなければならなかったが、本考案によれば１日１回で済むから、看護や介護する人の労力は大幅に軽減される。
【００２５】
なお、貯尿容器１９に目盛りを付けておけば、自動的に半日の尿量，１日の尿量等を計測することが出来る。或いは、台２２に貯尿容器１９の重量を測る装置および測定値を表示する装置（例、デジタル表示装置）を組み込んでおけば、貯尿量を重量で計測，表示することも出来る。更に、測定値を記録する記録媒体を組み込んでおけば、尿量を自動的に記録しておくことも出来る。
【図面の簡単な説明】
【００２６】
【図１】本考案にかかわる排尿補助装置を示す図
【図２】圧力調整装置の１例を示す図
【図３】女性器当て具の１例を示す図
【図４】ポンプのための電気回路を示す図
【図５】パイロットランプのための電気回路を示す図
【図６】尿の捨て方を説明する図
【符号の説明】
【００２７】
１…排尿補助装置、２…パイロットランプ、３…フック、４…男性器当て具、５…スイッチ、６…ひも、７…導尿管、８…支持パイプ、９…プラグ、１０〜１３…配線、１４…パイロットランプ電源装置、１５…蓋体、１６…排気口、１７…ポンプ、１８…吸気口、１９…貯尿容器、２０…固定べルト、２１…尿、２２…台、２３…圧力調整装置、２４…容器内空間、２５…女性器当て具、３０…弁体、３１…ストッパ、３２，３３…接点、３４…スプリング、３５…開口、３６…導尿管開口
【図１】
0003110695.tif 000003
【図２】
0003110695.tif 000004
【図３】
0003110695.tif 000005
【図４】
0003110695.tif 000006
【図５】
0003110695.tif 000007
【図６】
0003110695.tif 000008